(57)【特許請求の範囲】
【請求項１】
上方開口周縁にフランジ部が設けられる容器本体と、前記フランジ部に溶着される蓋材とを備える合成樹脂製容器であって、
前記フランジ部は、外周縁部から内側方向へ向けて形成される凹部と、上面に前記蓋材が溶着される突条部とを有してなり、
前記突条部は、前記凹部の両端部に外側方向に向けて形成される第１開封助勢部と、前記第１開封助勢部間に外側方向に向けて形成される第２開封助勢部と、
を備えることを特徴とする合成樹脂製容器。
【請求項２】
前記凹部の両端部における前記フランジ部には、前記外周縁部から外側方向へ向けて突出する凸部が形成される請求項１に記載の合成樹脂製容器。
【請求項３】
少なくとも前記凹部に対向する前記フランジ部の内形は、前記フランジ部の他の内形領域を結ぶ内形連結部とされる請求項１又は請求項２に記載の合成樹脂製容器。
【請求項４】
前記第２開封助勢部は、前記第１開封助勢部の外側方向に位置する頂部同士を結んだ線分に直交し、前記第１開封助勢部間に位置する前記突条部の中心を通る開封仮想線に対して線対称となるよう形成される請求項１から請求項３のいずれか１項に記載の合成樹脂製容器。
【請求項５】
前記容器本体は、前記蓋材を把持して開封する開封方向と直交する位置で夫々対向する把持部を有してなる請求項１から請求項４のいずれか１項に記載の合成樹脂製容器。
【請求項６】
前記容器本体は、外周面に滑り止め部を有してなる請求項１から請求項５のいずれか１項に記載の合成樹脂製容器。
【発明の詳細な説明】
【技術分野】
【０００１】
本発明は、易開封性の合成樹脂製容器に関するものである。
【背景技術】
【０００２】
従来より、易開封性を付与した合成樹脂製容器が公知である。例えば、合成樹脂製容器のフランジ部に対して、外周縁の少なくとも一箇所に、蓋材を把持して剥離するために切り欠いた凹部を形成するとともに、上面の外周端及びその内側に、蓋材を固着する外側環状突条及び内側環状突条を全周にわたって設け、凹部近傍の内側環状突条には、半径方向外側向きに初期開口部を形成し、外側環状突条と内側環状突条の間の少なくとも凹部近傍に蓋材を固着する柱状突起を点在させ、凹部の両側にそれぞれ初期開口部を形成した合成樹脂製容器が公知である（特許文献１参照）。
【先行技術文献】
【特許文献】
【０００３】
【特許文献１】特許第４９３３７０５号公報
【発明の概要】
【発明が解決しようとする課題】
【０００４】
しかしながら、特許文献１の合成樹脂製容器においては、レトルト処理する容器に適したものとして、フランジ部に外側環状突条及び内側環状突条を設け、さらに蓋材がフランジ面に溶着されるのを防止するために外側環状突条と内側環状突条との間隙に柱状の突起を複数設けた構造であるため、フランジ部の幅寸法が幅広となってしまい、易開封性には優れるものの、外観を損ねてしまうことが懸念されるものであった。
【０００５】
また、当該容器は易開封性ではあるものの、フランジ部と蓋材との溶着に際して高い密閉性を付与するために、シール強度が高くなり、引っ張り力の小さい高齢者等が容易に開封できず、開封に関する操作性の低下が懸念されるものであった。
【０００６】
そこで、本発明はこのような問題点を解決するものであって、易開封性、意匠性、操作性に優れた合成樹脂製容器を提供することを課題とする。
【課題を解決するための手段】
【０００７】
前記問題点を解決するために、本発明の請求項１に記載の合成樹脂製容器は、上方開口周縁にフランジ部が設けられる容器本体と、前記フランジ部に溶着される蓋材とを備える合成樹脂製容器であって、前記フランジ部は、外周縁部から内側方向へ向けて形成される凹部と、上面に前記蓋材が溶着される突条部とを有してなり、前記突条部は、前記凹部の両端部に外側方向に向けて形成される第１開封助勢部と、前記第１開封助勢部間に外側方向に向けて形成される第２開封助勢部とを備えることを特徴とするものである。
【０００９】
また、本発明の請求項２に記載の合成樹脂製容器は、請求項１に記載の合成樹脂製容器において、前記凹部の両端部における前記フランジ部には、前記外周縁部から外側方向へ向けて突出する凸部が形成されるものである。
【００１０】
また、本発明の請求項３に記載の合成樹脂製容器は、請求項１又は請求項２に記載の合成樹脂製容器において、少なくとも前記凹部に対向する前記フランジ部の内形は、前記フランジ部の他の内形領域を結ぶ内形連結部とされるものである。
【００１１】
また、本発明の請求項４に記載の合成樹脂製容器は、請求項１から請求項３のいずれか１項に記載の合成樹脂製容器において、前記第２開封助勢部は、前記第１開封助勢部の外側方向に位置する頂部同士を結んだ線分に直交し、前記第１開封助勢部間に位置する前記突条部の中心を通る開封仮想線に対して線対称となるよう形成されるものである。
【００１２】
また、本発明の請求項５に記載の合成樹脂製容器は、請求項１から請求項４のいずれか１項に記載の合成樹脂製容器において、前記容器本体は、前記蓋材を把持して開封する開封方向と直交する位置で夫々対向する把持部を有してなるものである。
【００１３】
また、本発明の請求項６に記載の合成樹脂製容器は、請求項１から請求項５のいずれか１項に記載の合成樹脂製容器において、前記容器本体は、外周面に滑り止め部を有してなるものである。
【発明の効果】
【００１４】
本発明の合成樹脂製容器によれば、易開封性、意匠性、操作性に優れたものとすることができる。
【図面の簡単な説明】
【００１５】
【図１】本発明の実施例における合成樹脂製容器の分解斜視図である。
【図２】本発明の実施例における合成樹脂製容器の縦断面図である。
【図３】本発明の実施例における合成樹脂製容器の横断面図である。
【図４】本発明の実施例における合成樹脂製容器の容器本体の一部省略平面図である。
【図５】本発明の別実施例における合成樹脂製容器の容器本体の一部省略平面図である。
【発明を実施するための形態】
【００１６】
以下、本発明の実施の形態における合成樹脂製容器を図面に基づいて説明する。当該容器は、上方開口周縁にフランジ部が設けられる容器本体と、フランジ部に溶着される蓋材とを備えてなり、フランジ部の突条部内に２種類の開封助勢部を設けることで、易開封性、意匠性を付与することができるものである。また、容器本体に、容器本体を把持する際の把持部、滑り止め部を設けることで、操作性の向上を図ることができるものである。
【００１７】
当該容器において、蓋材側を当該容器の上方とし、容器本体の底部が設けられる側を当該容器の下方とする。図１は、合成樹脂製容器の分解斜視図、図２は、合成樹脂製容器の縦断面図、図３は、合成樹脂製容器の横断面図、図４は、容器本体の一部省略平面図である。図５は、別実施例における容器本体の一部省略平面図である。
【実施例】
【００１８】
本発明に係る合成樹脂製容器は、図１に示すように、主に、上方開口周縁にフランジ部１１が設けられる容器本体１０と、フランジ部１１に溶着される蓋材２０とから構成される。
【００１９】
容器本体１０は、上方が開口してなり、上方開口周縁には外側方向へ拡開するようフランジ部１１が設けられる。当該容器本体１０は、例えば、ポリエチレン、ポリプロピレン等の合成樹脂によって、真空成形又は射出成形等から成形される。容器本体１０には、例えば、もずく、豆腐等の非レトルト食品が個食用として収容されるが、レトルト食品を収容することができるのは勿論である。
【００２０】
また、フランジ部１１には、外周縁部から内側方向へ向けて切欠状の凹部１１ａが形成される。当該凹部１１ａは、合成樹脂製容器を開封する際、蓋材２０が独立して摘み片となるよう設けられるものである。また、凹部１１ａは、開封時の目印として使用することもできる。凹部１１ａの形状は、開封時に指が掛かる又は指が入るような形状であれば、円弧状、略Ｖ字状、略コ字状、略波状等を採用することができ、特に制限されるものではない。
【００２１】
また、凹部１１ａの両端部には、外周縁部から外側方向へ向けて凸部１１ｂがそれぞれ突出して形成される。当該凸部１１ｂは、後述する第１開封助勢部１３の形成領域を確保するとともに、これによりフランジ部１１の幅寸法を幅狭にできるよう設けられるものである。また、凸部１１ｂは、凹部１１ａと同様にして、開封時の目印とすることもできる。凸部１１ｂの形状においても、特に制限されるものではないが、フランジ部１１の外周縁部から外側方向へ突出して形成されるため、ユーザの怪我等を防止する観点から、角部を有さない丸みを帯びた状態で形成されることが望ましい。
【００２２】
また、フランジ部１１の上面には、上方へ向けて突出する突条部１２が全領域に亘って形成される。当該突条部１２は、図２に示すように、上方部が幅狭となるよう、断面略台形状に形成されており、当該上方部に蓋材２０が溶着される。また、突条部１２には、図１及び図４に示すように、蓋材２０の開封を容易にするために、フランジ部１１の凸部１１ｂに対応する位置にて、第１開封助勢部１３が形成されるとともに、凹部１１ａに対応する位置にて、第２開封助勢部１４が形成される。
【００２３】
第１開封助勢部１３は、フランジ部１１の凸部１１ｂに対向してなり、容器本体１０の外側方向に向けて突出するように形成される。また、第２開封助勢部１４は、フランジ部１１の凹部１１ａに対向してなり、両者の第１開封助勢部１３間における突条連結部１５にて、容器本体１０の外側方向に向けて突出するように形成される。当該突条連結部１５の形状は、直線状、曲線状、又はこれらを適宜組み合わせたものとすることができるが、開封時の観点、又はフランジ部１１における幅寸法の観点から、凹部１１ａの形状に対応させたものであることが望ましい。
【００２４】
このとき、凸部１１ｂ及び第１開封助勢部１３は、開封時の観点から、凹部１１ａの形状に対して、左右対称に形成されることが望ましい。これにより、溶着された蓋材２０を容器本体１０から引き剥す際に、左右の第１開封助勢部１３に作用力が均等に作用し、開封し易いものとなる。また、第２開封助勢部１４についても、開封時の観点から、第１開封助勢部１３間の突条連結部１５の形状に対して、左右対称に形成されることが望ましい。
【００２５】
また、容器本体１０には、図１及び図３に示すように、外周面を把持して蓋材２０を開封し易いよう把持部１６が設けられる。当該把持部１６は、容器本体１０の外周面から内側方向へ凹んだ状態で形成される。また、把持部１６は、容器本体１０を把持し易いよう、蓋材２０の開封方向と直交する位置でそれぞれが対向するようにして形成されることが望ましい。
【００２６】
把持部１６は、開封時に把持し易いような形状であれば、特に制限されるものではなく、例えば、半円状の窪んだものであってもよいし、平坦部１６ａを有するようにして凹ませたものであってもよい趣旨である。当該把持部１６は、容器本体１０に蓋材２０を溶着する際の搬送工程等にて、当該部分を挟持する又は嵌合させる等して位置決め部として使用することもできる。
【００２７】
また、容器本体１０には、図１に示すように、底面及び把持部１６を除いた外周面に滑り止め部１７が設けられる。当該滑り止め部１７は、容器本体１０の外周面に沿って、突出又は陥没して形成される直線状、曲線状、又はこれらを適宜組み合わせたものを上下方向に複数形成することもできるし、梨地処理等の表面処理がされた略三角形、略四角形、略円形、その他模様等の所定領域を均等に配設させることで形成することもできるし、これに限られるものではない。
【００２８】
蓋材２０は、フランジ部１１を覆設可能な形状であって、ポリエチレン等のヒートシール性の合成樹脂製フィルムであれば、特に制限されるものではなく、公知のフィルムを採用することができる。
【００２９】
本実施例においては、容器本体１０におけるフランジ部１１の外形１１ｃは、図１及び図４に示すように、凹部１１ａ及び凸部１１ｂが形成される一部の領域を除いて、同一の径寸法を有して形成される。そして、フランジ部１１の外形１１ｃから内側方向へ向けて、円弧状の切欠が形成されることで凹部１１ａが形成され、当該凹部１１ａの両端部におけるフランジ部１１の外形１１ｃから外側方向へ向けて、同一形状の緩やかな山状部が突出して形成されることで凸部１１ｂが形成される。
【００３０】
また、容器本体１０におけるフランジ部１１の内形１１ｄは、凹部１１ａ及び凸部１１ｂが形成される一部の領域を除いて、同一の径寸法を有して形成される。そして、少なくとも凹部１１ａに対向する箇所の内形部分は、フランジ部１１の他の内形１１ｄの領域を結ぶ内形連結部１１ｅとされる。また、開封助勢領域の強度を向上させる観点から、内形連結部１１ｅは、凹部１１ａ及び両凸部１１ｂに対向する箇所の内形部分とすることもできる。当該内形連結部１１ｅは、同一径から形成される内形１１ｄの円弧を結ぶ弦となるよう、例えば、直線状に形成されるがこれに限られることなく、曲線状、又はこれらを適宜組み合わせたものとすることができるのは勿論である。
【００３１】
すなわち、フランジ部１１の上面は、当該一部の領域を除いて、同一の幅寸法を有して形成されており、フランジ部１１の外形１１ｃにて、両凸部１１ｂを外側方向に突出させて形成するとともに、フランジ部１１の内形１１ｄにて、これに対応する位置を内形連結部１１ｅにて連結して形成している。これにより、第１開封助勢部１３及び第２開封助勢部１４を形成する開封助勢領域を確保したうえで、フランジ部１１の全体の幅寸法が幅狭となるよう構成することで、容器本体１０におけるフランジ部１１の意匠性を向上させている。
【００３２】
また、突条部１２は、フランジ部１１における上面の幅寸法の略中央部に形成され、開封助勢領域に対応するようにして、第１開封助勢部１３及び第２開封助勢部１４が形成される。当該第１開封助勢部１３は、フランジ部１１のそれぞれの凸部１１ｂに対向する位置にて、容器本体１０の外側方向に向けて、略Ｖ字状となるよう形成される。また、相互の第１開封助勢部１３は、凹部１１ａに沿うようにして形成される円弧状の突条連結部１５にて連結されており、第２開封助勢部１４は、当該突条連結部１５の中央部で、容器本体１０の外側方向に向けて、略Ｍ字状となるよう形成される。
【００３３】
ここで、両凸部１１ｂにおける最も外側方向に位置する頂部同士を結んだ線分Ｌ１に直交し、且つ、フランジ部１１における径方向の中心を通る線分Ｌ２を開封仮想線とする。すなわち、当該開封仮想線は、容器本体１０の中心を通り、突条連結部１５の中心を通るとともに、凹部１１ａの中心を通ることとなる。また、突条部１２に関して、開封仮想線は、第１開封助勢部１３の外側方向に位置する頂部同士を結んだ線分に直交し、第１開封助勢部１３間に位置する突条部１２（突条連結部１５）の中心を通ることとなる。
【００３４】
このとき、易開封性の観点から、第１開封助勢部１３及び第２開封助勢部１４は、開封仮想線に対して線対称となるよう形成される。これにより、溶着された蓋材２０を容器本体１０から引き剥す際に、左右の第１開封助勢部１３、第２開封助勢部１４に開封時の作用力を均等に作用させることができる。
【００３５】
また、容器本体１０の外周面に設けられる把持部１６は、図２及び図３に示すように、開封仮想線と略平行するようにして、平坦部１６ａが容器本体１０の上方から下方にかけて傾斜状に設けられる。当該平坦部１６ａは、容器本体１０の外周面から凹むようにして形成されており、上方側に指掛かりとなる段部１６ｂを有した状態で、下方側へ向けて凸状となるよう略Ｕ字状に形成される。
【００３６】
また、容器本体１０の底面及び把持部１６を除いた外周面に設けられる滑り止め部１７は、図１に示すように、容器本体１０の上方から下方にかけて、容器本体１０の外周面に沿って突出して設けられる。当該滑り止め部１７は、梨地処理によって略四角形となるよう形成され、容器本体１０の上方から下方にかけて滑り止め部１７と非滑り止め部とが格子状となるよう交互に配設される。
【００３７】
このようにして、容器本体１０の外周面に把持部１６及び滑り止め部１７を設けることで、容器本体１０を把持した際に、平坦部１６ａがユーザの掌又は指先等にフィットするとともに、滑り止め部１７にてグリップ力を向上させ、さらに段部１６ｂを介してしっかりと把持することができるので、開封時の操作性を向上することができる。
【００３８】
そして、蓋材２０においては、両凸部１１ｂ及び凹部１１ａが設けられる領域については、容器本体１０の外側方向に向けて突出する舌片部２１が形成され、その他の同一の径寸法を有するフランジ部１１においては、フランジ部１１の外形１１ｃより僅かに大きくなるよう形成される。当該蓋材２０が少なくとも突条部１２の上方部に溶着されることで、容器本体１０が密閉された状態となる。
【００３９】
また、蓋材２０の溶着については、密閉性を向上させる観点から、突条部１２の上方部及びフランジ部１１の外形１１ｃ縁部を蓋材２０に溶着することが望ましい。これにより、蓋材２０がカールしたり、波状となったりするのを防止することができる。
【００４０】
このようにして構成される合成樹脂製容器は、次のようにして開封される。まず、容器本体１０におけるフランジ部１１に設けられた凹部１１ａに指先を入れ、蓋材２０に対応する部分（舌片部２１）を把持して開封仮想線方向へと引き上げると、フランジ部１１の上面の外形１１ｃ縁部が剥離される。後に、フランジ部１１には、凹部１１ａの両端部に外側方向に向けて略Ｖ字状の第１開封助勢部１３が形成されているので、当該第１開封助勢部１３が突条部１２の最初に引き剥されることとなる。
【００４１】
そして、第１開封助勢部１３を初めとして、その両端側へと突条部１２が徐々に引き剥されることとなる。このとき、相互の第１開封助勢部１３の外側方向に位置する突条部１２は、フランジ部１１の形状に沿って張り出されるため、開封方向に即して順に引き剥されることになる。
【００４２】
一方、相互の第１開封助勢部１３の内側方向に位置する突条部１２、すなわち、突条連結部１５においては、容器本体１０の内側方向へ向けて突条部１２が湾曲しているため、外側方向に向けて略Ｖ字状に形成される第１開封助勢部１３を剥離させる作用力と同様の作用力では引き剥すことはできない。しかしながら、内形連結部１１ｅ側に位置し、最も内側方向に位置する突条連結部１５の領域に至るまでに、外側方向へ向けて略Ｍ字状の第２開封助勢部１４が形成されているため、第２開封助勢部１４をきっかけとして、最も内側方向に位置する当該領域を引き剥すことができる。これにより、剥離させる作用力を大きく付与することなく、引き剥すことができる。
【００４３】
以上、説明した本発明に係る合成樹脂製容器によれば、フランジ部１１における突条部１２に２つの第１開封助勢部１３を設け、第１開封助勢部１３間の突条部１２に第２開封助勢部１４を設けたので、易開封性に優れたものとすることができる。
【００４４】
また、これら助勢部１３、１４を設ける開封助勢領域を確保したうえで、フランジ部１１の全体の幅寸法が幅狭となるよう構成したので、容器本体１０の意匠性を優れたものとすることができる。また、容器本体１０の外周面に、把持部１６及び滑り止め部１７を設けたので、操作性に優れたものとすることができる。
【００４５】
上記実施例において、容器本体１０、蓋材２０、第１開封助勢部１３、第２開封助勢部１４等の形状を適宜変更して実施することが可能である。例えば、フランジ部１１において、凹部１１ａ及び凸部１１ｂが形成される一部の領域を除いて、同一の径寸法を有して形成されるものであったが、これに限られるものではなく、例えば、楕円状、三角形状、四角形状、多角形状等、適宜の形状とすることができるのは勿論である。係る際において、容器本体１０、蓋材２０の形状を適宜対応させることができるのは勿論である。
【００４６】
また、第２開封助勢部１４においては、突条部１２における突条連結部１５の中央部に設けられるものであったが、これに限られるものではない。例えば、図５に示すように、突条連結部１５において、開封仮想線に対して左右対称となるよう形成されるものであれば、内形連結部１１ｅ側に位置し、最も内側方向に位置する突条連結部１５の領域よりも外側方向（第１開封助勢部１３側）に設けることもできる。これにより、さらに早期の段階で第２開封助勢部１４が作用するため、より好ましいものとなる。第２開封助勢部１４は、これに限られるものではなく、第１開封助勢部１３側に設けるものと、中央部に設けるものと適宜組み合わせて設けることができるのは勿論である。
【００４７】
また、滑り止め部１７においては、底面及び把持部１６を除いた容器本体１１の外周面の全面に限られることなく、上下方向における上方側又は下方側等の一部に設けることができるのは勿論である。
【００４８】
また、一部構成を省略することができるし、一部抽出した構成とすることができるのは勿論である。
【符号の説明】
【００４９】
１０    容器本体
１１    フランジ部
１１ａ  凹部
１１ｂ  凸部
１１ｃ  外形
１１ｄ  内形
１１ｅ  内形連結部
１２    突条部
１３    第１開封助勢部
１４    第２開封助勢部
１５    突条連結部
１６    把持部
１６ａ  平坦部
１６ｂ  段部
１７    滑り止め部
２０    蓋材
２１    舌片部
【図１】
0006535291.tif 000002
【図２】
0006535291.tif 000003
【図３】
0006535291.tif 000004
【図４】
0006535291.tif 000005
【図５】
0006535291.tif 000006